(57)【特許請求の範囲】
【請求項１】
１つの設定値が割り当てられた第１の状態または複数の設定値が割り当てられた第２の状態を操作者に機械的に選択させる第１の操作スイッチと、
前記第１の操作スイッチにより前記第２の状態が機械的に選択されたとき、前記第２の状態に割り当てられた設定値を表示するディスプレイと、
前記ディスプレイに表示された設定値のうちいずれかを操作者に選択させる第２の操作スイッチと、
前記第１の操作スイッチにより前記第１の状態が機械的に選択されたとき、前記第１の状態に割り当てられた設定値を動作条件として設定する一方、前記第１の操作スイッチにより第２の状態が機械的に選択されたとき、前記第２の操作スイッチで選択された設定値を動作条件として設定するコントローラとを備える電子機器。
【請求項２】
前記コントローラは、前記第１の操作スイッチにより第２の状態が選択されたとき、前記第２の操作スイッチで設定値を選択するよう促す表示を前記ディスプレイに表示させる、請求項１に記載の電子機器。
【請求項３】
前記第２の操作スイッチで設定値を選択するよう促す表示は、絵記号を含む、請求項２に記載の電子機器。
【請求項４】
前記第２の操作スイッチで選択された設定値を動作条件として設定する前後において、前記コントローラが、前記ディスプレイに表示される設定値の表示態様を異ならせる、請求項１に記載の電子機器。
【請求項５】
前記電子機器はカメラであって、
前記設定値はシャッタスピードおよび絞り値の少なくとも一方である、請求項１に記載の電子機器。
【請求項６】
前記電子機器は携帯電話端末であって、
前記設定値は送信先識別子である、請求項１に記載の電子機器。
【請求項７】
前記電子機器はテレビジョン受像機セットであって、
前記設定値は放送チャンネルである、請求項１に記載の電子機器。
【請求項８】
前記電子機器は調理用家電製品であって、
前記設定値は調理メニューである、請求項１に記載の電子機器。
【請求項９】
前記電子機器は複数の動作モードを有する電子機器であって、
前記設定値は前記動作モードである、請求項１に記載の電子機器。
【発明の詳細な説明】
【技術分野】
【０００１】
本発明は、ダイアル等の機械的な操作スイッチおよび表示画面を併用して、動作条件を設定する電子機器に関する。
【背景技術】
【０００２】
近年、デジタルカメラや携帯電話機をはじめとする電子機器の小型化が進んでいる。それに伴って、それらに設けられた操作部品類の小型化も進んでいる。このような傾向は、機械的に自らの位置を変えることにより、複数の設定値のうちのいずれかを選択するような操作部品類（例えば、ダイアル）においても同様である。一方、電子機器の高性能化に伴って、多くの設定値を選択できるようになってきた。従って、上記の操作部品類は小さくなっているにも関わらず、選択可能な設定値の数は増えている。
【０００３】
このような状況により、上記操作ボタン類において一つ一つの設定値が割り当てられた位置（ダイアル目盛等）の間隔が狭まっているため、ユーザーは、操作部品類の位置決めが難しく、所望の設定値に設定することが困難になってきている。
【０００４】
このような課題を解決するために、ダイアルにおける設定値を切り換えるスイッチを設けたカメラが特許文献１（特開２０００−１２２１１４号公報）に開示されている。以下、特許文献１に記載の従来のカメラについて説明する。
【０００５】
図３０は、従来のカメラのシャッタダイアル５０２および操作レバー５０４を示す模式図である。指標５０３はカメラ本体に固定されている。シャッタダイアル５０２は、ダイアル目盛５０２ａ〜５０２ｓを備える。シャッタダイアル５０２は回動する。このため、操作者は、ダイアル目盛５０２ａ〜５０２ｓのいずれかを、指標５０３に位置合わせすることができる。
【０００６】
ダイアル目盛５０２ａを指標５０３に位置合わせしたときには、カメラのシャッタスピードは自動設定される。ダイアル目盛５０２ｓを指標５０３に位置合わせしたときには、カメラのシャッタはシャッタ釦が押下されてから再度押下されるまで開いた状態となる（バルブ設定）。
【０００７】
ダイアル目盛５０２ｂ〜５０２ｒのいずれかを指標５０３に位置合わせしたときは、操作レバー５０４の状態によってシャッタスピードは異なる。操作レバー５０４が図３０における位置Ａにある状態では、シャッタスピードは、シャッタダイアルの表面のダイアル目盛付近に印字されている数字の逆数が示すものとなる。例えば、図３０に示すように、ダイアル目盛５０２ｋが指標５０３に位置合わせされているとき、印字は「１５」なので、シャッタスピードは１／１５秒となる。
【０００８】
一方、操作レバー５０４が図３０における位置Ｂにある状態では、シャッタスピードは、シャッタダイアル５０２の表面のダイアル目盛付近に印字されている数字が示すものとなる。例えば、図３０に示すように、ダイアル目盛５０２ｋが指標５０３に位置合わせされているとき、印字は「１５」なので、シャッタスピードは１５秒となる。
【０００９】
以上のように、特許公報１に開示された従来のカメラによれば、操作レバー５０４を設けたことにより、シャッタダイアル５０２を通常設定と長秒設定とで兼用可能で、シャッタダイアル５０２で設定できるシャッタスピードを数多く設けることができる。
【特許文献１】特開２０００−１２２１１４号公報
【発明の開示】
【発明が解決しようとする課題】
【００１０】
しかしながら、上記の従来のカメラでは、シャッタスピードの設定値を数多く設けるために、新たに操作レバー５０４を設ける必要があった。このため、部材点数の増加により、カメラの製造コストが増加するという問題点があった。また、近年カメラは小型化する傾向にあり、操作レバー５０４を新たに設けるスペースがないという問題点があった。
【００１１】
また、操作者は、操作レバー５０４が位置Ａにあるのか位置Ｂにあるのかを常に把握しておかなければシャッタスピードが分からないため、直感的にはシャッタスピードを把握し難かった。このことから操作者が撮影をしているときに誤操作をしてしまうという問題点があった。例えば、操作レバー５０４が位置Ｂにあるにも関わらず、操作者は位置Ａにあると勘違いしている場合は、シャッタスピードを現設定よりも遅くしたい（図中ＣＣ方向に回す）ときに、反対に図中ＣＷ方向に回してしまいシャッタスピードを現設定よりも早くしてしまう場合もあった。このため、誤った露光量で撮影してしまい、シャッタチャンスを逃すということがあった。
【００１２】
さらに、操作レバー５０４を設けることにより、設定できるシャッタスピードは数多くなったが、設定可能なシャッタスピードの中には、実際には使用する可能性の極めて低いものが多く（２０００秒、４０００秒等）、有効なシャッタスピードの数はそれほど多くなっていない。つまり、設定できるシャッタスピードの値に自由度がないという問題点があった。
【００１３】
本発明は、上記従来技術の問題点を解決し、安価に製造でき、設定値に自由度がある上に、数多くの設定値の中からいずれかを簡単な操作で動作条件として設定できる電子機器を提供することを目的とする。
【課題を解決するための手段】
【００１４】
上記目的を達成するために、本発明に係る電子機器は、１つの設定値が割り当てられた第１の状態または複数の設定値が割り当てられた第２の状態を操作者に選択させる第１の操作スイッチと、前記第１の操作スイッチにより前記第２の状態が選択されたとき、前記第２の状態に割り当てられた設定値を表示するディスプレイと、前記ディスプレイに表示された設定値のうちいずれかを操作者に選択させる第２の操作スイッチと、前記第１の操作スイッチにより前記第１の状態が選択されたとき、前記第１の状態に割り当てられた設定値を動作条件として設定する一方、前記第１の操作スイッチにより第２の状態が選択されたとき、前記第２の操作スイッチで選択された設定値を動作条件として設定するコントローラとを備える。
【００１５】
「操作スイッチ」とは、操作者が回したり、押圧したりすることによって、操作者の選択を電子機器へ入力することができる部材であって、例えば、ダイアル、釦、キー、ジョグダイアル等を含む。
【００１６】
このように、本発明にかかる電子機器は、第１の操作スイッチで機械的に設定値を変更することができるので操作性が良い。そして、第１の操作スイッチで設定できる設定値以外のものは、ディスプレイに表示された設定値を第２の操作スイッチで変更することにより設定できるので、数多くの設定値を設定可能である。
【００１７】
また、本発明に係る電子機器のコントローラは、前記第１の操作スイッチにより第２の状態が選択されたとき、前記第２の操作スイッチで設定値を選択するよう促す表示を前記ディスプレイに表示させることが好ましい。このように、第２の操作スイッチで設定値を選択するよう促す表示を行うため、操作者は操作方法を容易に理解できる。
【００１８】
また、本発明に係る電子機器において、前記第２の操作スイッチで設定値を選択するよう促す表示は、絵記号を含むことが好ましい。このように、第２の操作スイッチで設定値を選択するよう促す表示が、例えば第２の操作スイッチ等の絵記号を含むため、操作者は操作方法をさらに容易に理解できる。
【００１９】
また、本発明に係る電子機器のコントローラが第２の操作スイッチで選択された設定値を動作条件として設定する前後において、ディスプレイに表示される設定値の表示態様を異ならせることが好ましい。このように、第２の操作スイッチで設定する前後において、設定値の表示態様を異なるものとするため、操作者は、第２の操作スイッチでの設定が完了したかどうか容易に把握することができる。また、第１の操作スイッチで設定する場合と第２の操作スイッチで設定する場合とで設定値の表示態様を異なるものとしたため、操作者は、どちらの操作スイッチを用いて設定値を設定しているのか、または、どちらの操作スイッチを用いて設定値を設定すべきなのかを容易に把握することができる。
【００２０】
本発明にかかる電子機器は、カメラであって、前記設定値はシャッタスピードおよび絞り値の少なくとも一方であっても良い。この構成によれば、数多くのシャッタスピードまたは絞り値を設定可能である上に、操作性が良い。
【００２１】
本発明にかかる電子機器は、携帯電話端末であって、前記設定値は送信先識別子であっても良い。
【００２２】
本発明にかかる電子機器は、テレビジョン受像機セットであって、前記設定値は放送チャンネルであっても良い。
【００２３】
本発明にかかる電子機器は、調理用家電製品であって、前記設定値は調理メニューであっても良い。
【００２４】
本発明にかかる電子機器は、複数の動作モードを有する電子機器であって、前記設定値は前記動作モードであっても良い。
【００２５】
以上のように、本発明によれば、第１の操作スイッチで機械的に設定値を変更することができるので操作性が良い。そして、第１の操作スイッチで設定できる設定値以外のものは、第２の操作スイッチでディスプレイに表示された設定値を変更することにより設定できるので、数多くの設定値を設定可能である。従って、本発明に係る電子機器は、安価に製造でき、設定値に自由度がある上に、数多くの設定値の中からいずれかを簡単な操作で設定できる。
【発明を実施するための最良の形態】
【００２６】
本発明は、ダイアル等の機械的な操作スイッチおよび表示画面を併用して、動作条件を設定する電子機器に適用できる。以下では、本発明をデジタルカメラ、携帯電話端末、テレビジョン受像機セット、オーブンレンジに適用した場合を例に挙げ、実施の形態１〜４においてそれぞれ説明する。しかし、本発明の適用例はこれらに限定されるものではない。
【００２７】
（実施の形態１）
本発明の実施の形態１に係るデジタルカメラ１によれば、操作者は、シャッタダイアル２を使って設定頻度の高いシャッタスピードを容易に設定できるとともに、補助ダイアル７、決定釦８および液晶モニタ９を使って多くの選択候補の中から所望のシャッタスピードを選択できる。同様に、絞りダイアルを使って設定頻度の高い絞り値を容易に設定できるとともに、補助ダイアル７、決定釦８および液晶モニタ９を使って多くの選択候補の中から所望の絞り値を選択できる。以下、本発明の実施の形態１に係るデジタルカメラ１について、図１〜図１４を用いて説明する。
【００２８】
図１は、本発明の実施の形態１にかかるデジタルカメラ１の正面側から見た斜視図である。また、図２は、同デジタルカメラ１の背面側から見た斜視図である。デジタルカメラ１は、カメラ本体２０およびレンズ鏡筒５からなる。図１に示すように、レンズ鏡筒５の外周には、絞りダイアル３、ズームリング２１およびフォーカスリング２２が、回動自在に設けられている。
【００２９】
絞りダイアル３は、デジタルカメラ１の絞り値を選択するための操作スイッチである。ここで、図３は、絞りダイアル３の構成を示す模式図である。絞りダイアル３は図中矢印ＣＷ（時計回り）またはＣＣ（反時計回り）方向に回動自在である。絞りダイアル３は、複数のダイアル目盛３ａ〜３ｆを備える。ダイアル目盛３ａには、絞り値を自動的に設定することを示す「Ａ」という表示がされている。ダイアル目盛３ｂ〜３ｅには、それぞれ絞り値が表示されている。ダイアル目盛３ｆには、Ｆ１０〜４０の絞り値を設定可能であることを示す「Ｆ１０−４０」という表示がされている。指標１８はレンズ鏡筒５に固定されている。操作者は、絞りダイアル３を回動して、ダイアル目盛３ａ〜３ｆのいずれかを指標１８に位置合わせすることにより、それぞれのダイアル目盛が示す方法で絞り値を設定できる。絞り値の設定方法については、後に詳述する。
【００３０】
図２に示すように、カメラ本体２０には、シャッタダイアル２、シャッタ釦４、カーソルキー６、補助ダイアル７および決定釦８等の操作スイッチ、液晶モニタ９およびファインダ２３が設けられている。
【００３１】
シャッタダイアル２は、デジタルカメラ１のシャッタスピードを選択するための操作スイッチである。シャッタダイアル２は水平面内で回動自在である。ここで、図４は、シャッタダイアル２の構成を示す平面図である。図４に示すように、シャッタダイアル２は、図中矢印ＣＣ方向またはＣＷ方向に回動自在である。シャッタダイアル２は、複数のダイアル目盛２ａ〜２ｐを備える。ダイアル目盛２ａには、シャッタスピードを自動的に設定することを示す「Ａｔ」という表示がされている。ダイアル目盛２ｂ〜２ｎには、それぞれシャッタスピードの逆数が表示されている。ダイアル目盛２ｐには、１／２秒〜８秒のシャッタスピードを設定可能であることを示す「２−８ｓ」という表示がされている。指標１７はカメラ本体２０に固定されている。操作者は、シャッタダイアル２を回動して、ダイアル目盛２ａ〜２ｐのいずれかを指標１７に位置合わせすることにより、それぞれのダイアル目盛が示す方法でシャッタスピードを設定できる。なお、ダイアル目盛２ｂ〜２ｎには比較的使用頻度の高いシャッタスピードを１づつ割り当て、ダイアル目盛２ｐには比較的使用頻度の低いシャッタスピードを複数割り当てるのが好ましい。ダイアル目盛２ｂ〜２ｎを用いてシャッタスピードを設定する際には、シャッタダイアル２の回動のみの１アクションで設定できるため、使用頻度が高いシャッタスピードはダイアル目盛２ｂ〜２ｎに割り当てるのが好ましいのである。なお、シャッタスピードの設定方法については後述する。
【００３２】
図２に戻り、シャッタ釦４は、デジタルカメラ１が撮像を開始するよう指示するための操作スイッチである。シャッタ釦４はシャッタダイアル２の近傍に配置される。そのため、操作者は、シャッタスピードをシャッタダイアル２で選択した後、すぐに撮像を開始できる。
【００３３】
カーソルキー６および補助ダイアル７は、液晶モニタ９に表示されるカーソルを移動または設定値を変更するための操作スイッチである。ここで、図５は、カーソルキー６および補助ダイアル７の構成を示す模式図である。図５に示すように、カーソルキー６は、Ｕ（Ｕｐ），Ｒ（Ｒｉｇｈｔ），Ｄ（Ｄｏｗｎ），Ｌ（Ｌｅｆｔ）の４つの方向キー６ａ〜６ｄから構成される。また、補助ダイアル７は、カーソルキー６の外周に設けられており、図中矢印ＣＷ（時計周り）またはＣＣ（反時計回り）方向に回動可能である。
【００３４】
図２において、決定釦８はデジタルカメラ１の動作条件等を決定するための操作スイッチである。液晶モニタ９は、後述する撮像部１２で生成された画像データやデジタルカメラ１の動作条件等を表示するディスプレイである。ファインダ２３は、撮影時に覗き込んで画像の画角を決めるためのディスプレイである。
【００３５】
次に、デジタルカメラ１の電気系統の構成について説明する。図６は、本発明の実施の形態１に係るデジタルカメラ１の構成を示すブロック図である。図６において、システムコントローラ１０は、液晶モニタ９、撮像部１２、画像処理部１３、画像メモリ１４等を制御する。システムコントローラ１０は、シャッタダイアル２、絞りダイアル３、シャッタ釦４、カーソルキー６、補助ダイアル７等の操作スイッチによる指示に基づいて上記の制御をする。システムコントローラ１０は、半導体回路および半導体回路に含まれるソフトウェアにより構成される。
【００３６】
撮像部１２は、被写体を撮像して画像データを生成する。撮像部１２は、レンズ、絞り機構、ＣＣＤ等の撮像素子等を含む。画像処理部１３は、撮像部１２で生成された画像データに対して、ＲＡＷ／ＹＣ変換、解像度変換、圧縮処理等を施す。また、画像処理部１３は、画像メモリ１４から受けた画像データに対して、解像度変換、伸長処理等を施す。画像メモリ１４は、画像処理部１３で処理された画像データを保存し、これらのデータをシステムコントローラ１０や画像処理部１３に供給する。システムバス１６は、画像データや制御信号をデジタルカメラ１内で伝送するためのバスである。
【００３７】
なお、シャッタダイアル２は本発明の第１の操作スイッチの一例である。液晶モニタ９は本発明のディスプレイの一例である。補助ダイアル７および決定釦８からなる構成は本発明の第２の操作スイッチの一例である。システムコントローラ１０は本発明のコントローラの一例である。デジタルカメラ１は本発明の電子機器の一例である。この場合、シャッタスピードは本発明における設定値の一例である。シャッタダイアル２のダイアル目盛２ｂ〜２ｎのいずれかが指標１７に位置合わせされた状態は、本発明における第１の状態の一例である。シャッタダイアル２のダイアル目盛２ｐが指標１７に位置合わせされた状態は、本発明における第２の状態の一例である。
【００３８】
さらに、絞りダイアル３は本発明の第１の操作スイッチの一例である。この場合絞り値は本発明における設定値の一例である。絞りダイアル３のダイアル目盛３ｂ〜３ｅのいずれかが指標１８に位置合わせされた状態は、本発明における第１の状態の一例である。絞りダイアル３のダイアル目盛３ｆが指標１８に位置合わせされた状態は、本発明における第２の状態の一例である。
【００３９】
以上の構成に基づくデジタルカメラ１の動作について、シャッタスピードの設定動作と絞り値の設定動作とに分けて、以下説明する。
【００４０】
（シャッタスピードの設定）
以下、デジタルカメラ１のシャッタスピードを設定するときの動作を説明する。図７はその動作を説明するためのフローチャートである。
【００４１】
図７に示すように、デジタルカメラ１は、操作者がシャッタダイアル２を操作することにより、シャッタスピードの設定動作を開始する。次に、システムコントローラ１０は、操作者がシャッタダイアル２により自動設定を選択したかどうかを検知する（Ｓ１）。つまり、ダイアル目盛２ａが指標１７に位置合わせされたかどうかを検知する。
【００４２】
ダイアル目盛２ａが指標１７に位置合わせされれば（Ｓ１におけるＹｅｓ）、システムコントローラ１０は、現在設定されている絞り値や撮像部１２が感知する露出量に基づいて、この露出量を適性にするようなシャッタスピードを算出する（Ｓ２）。次に、システムコントローラ１０は、算出されたシャッタスピードを動作条件として設定する（Ｓ３）。すなわち、システムコントローラ１０は、算出されたシャッタスピードに関する情報を撮像部１２に送信し、算出されたシャッタスピードで動作するよう撮像部１２を制御する。そして、システムコントローラ１０は、算出されたシャッタスピードを図８に示すように液晶モニタ９に表示する。図８は、液晶モニタ９に表示される画面を示す模式図である。背景画像Ｄ１は撮像部１２で生成された画像データである。シャッタスピード表示Ｄ２および絞り値表示Ｄ３は、背景画面Ｄ１に重畳するように表示される。図８において、シャッタスピード表示Ｄ２は、シャッタスピードが１／１２５秒である場合を示している。このシャッタスピード表示Ｄ２は、文字部分が黒色で表示される。以上の動作により、デジタルカメラ１は、自動算出されたシャッタスピード（この事例では１／１２５秒）を動作条件として設定する。
【００４３】
一方、ダイアル目盛２ａが指標１７に位置合わせされなければ（Ｓ１におけるＮｏ）、システムコントローラ１０は、シャッタダイアル２が第２の状態を選択したかどうかを検知する（Ｓ４）。つまり、ダイアル目盛２ｐが指標１７に位置合わせされたかどうかを検知する。
【００４４】
ダイアル目盛２ｐが指標１７に位置合わせされなければ（Ｓ４におけるＮｏ）、システムコントローラ１０は、シャッタダイアル２が第１の状態を選択したことを検知する。すると、システムコントローラ１０は、シャッタダイアル２で選択されたシャッタスピードを動作条件として設定する（Ｓ７）。すなわち、システムコントローラ１０は、シャッタダイアル２で選択されたシャッタスピードに関する情報を撮像部１２に送信し、そのシャッタスピードで動作するよう撮像部１２を制御する。そして、システムコントローラ１０は、シャッタダイアル２で選択されたシャッタスピードを図８に示すように液晶モニタ９に表示する。例えば、図４に示すように、シャッタダイアル２のダイアル目盛２ｆが指標１７に位置合わせされた場合、システムコントローラ１０はシャッタスピードを１／１２５秒に設定する。そして、システムコントローラ１０は、図８に示すように、シャッタスピード表示Ｄ２として「１／１２５」を液晶モニタ９に表示させ、操作者にシャッタスピードが１／１２５秒であることを知らせる。この時のシャッタスピード表示Ｄ２は、文字部分が黒色で表示される。以上の動作により、デジタルカメラ１はシャッタダイアル２で選択されたシャッタスピード（この事例では１／１２５秒）を動作条件として設定する。
【００４５】
一方、図７に示すステップＳ４において、ダイアル目盛２ｐが指標に位置合わせされれば（Ｓ４におけるＹｅｓ）、システムコントローラ１０は、シャッタダイアル２が第２の状態を選択したことを検知する。すると、システムコントローラ１０は、補助ダイアル７および決定釦８を用いてシャッタスピードを選択するよう促す表示を液晶モニタ９に表示させる（Ｓ５）。ここで、図９（ａ）は、ステップＳ５における液晶モニタ９の画面を示す模式図である。図９（ａ）において、背景画像Ｄ１に重畳するように選択催促表示Ｄ４およびアイコンＤ５が表示される。アイコンＤ５は選択催促表示Ｄ４の近傍に表示される。操作者は、選択催促表示Ｄ４を見て、シャッタスピードを１／２秒〜８秒の間で設定すべきことを認識する。また、アイコンＤ５が補助ダイアル７を示す画像であるため、アイコンＤ５が表示されることによって、操作者は、補助ダイアル７を用いるべきであることを直感的に理解できる。
【００４６】
次に、システムコントローラ１０は、補助ダイアル７にシャッタスピードを変更する機能を割り当て、決定釦８にシャッタスピードを決定する機能を割り当てる。つまり、システムコントローラ１０は、補助ダイアル７および決定釦８を用いてシャッタスピードを選択できる動作モードにするのである。補助ダイアル７は、通常、液晶モニタ９に表示されるカーソルを移動したり、設定値を変更したりする等の種々の機能を有するが、このような割り当てにより、シャッタダイアル２のダイアル目盛２ｐが指標１７に位置合わせされると直ぐに、シャッタスピードを変更する機能に特化するのである。決定釦８についても同様である。
【００４７】
次に、これらの指示に従って操作者が補助ダイアル７を操作すると、システムコントローラ１０は、選択催促表示Ｄ４およびアイコンＤ５を消去し、それらが表示されていた箇所にシャッタスピード表示Ｄ２を表示させる。また、システムコントローラ１０は、補助ダイアル７の動きに応じてシャッタスピード表示Ｄ２を変更する。ここで、図１０はシャッタスピード表示Ｄ２の状態遷移図である。システムコントローラ１０は、補助ダイアル７が図５に示すＣＷ方向に回動すると、それに応じてシャッタスピード表示Ｄ２を「１／２ｓ」→「１ｓ」→「２ｓ」・・・のように昇順に変更する。そして、シャッタスピード表示Ｄ２が「８ｓ」になった後、さらに補助ダイアル７がＣＷ方向に回動すると、システムコントローラ１０は、シャッタスピード表示Ｄ２を「１／２ｓ」に戻す。逆に、システムコントローラ１０は、補助ダイアル７が図５に示すＣＣ方向に回動すると、それに応じてシャッタスピード表示Ｄ２を「８ｓ」→「７ｓ」→「６ｓ」・・・のように降順に変更する。そして、シャッタスピード表示Ｄ２が「１／２ｓ」になった後、さらに補助ダイアル７がＣＣ方向に回動すると、システムコントローラ１０は、シャッタスピード表示Ｄ２を「８ｓ」に戻す。図９（ｂ）は、シャッタスピード表示Ｄ２を変更しているときに液晶モニタ９に表示される画面を示す模式図である。図９（ｂ）において、シャッタスピード表示Ｄ２は、「１ｓ」であるため、このときに補助ダイアル７が図５に示すＣＷ方向に回動すると「２ｓ」に変更される。逆にＣＣ方向に回動すると「１／２ｓ」に変更される。また、シャッタスピード表示Ｄ２は文字部分が赤色で表示される。つまり、本実施形態では、図８に示すように自動設定やダイアル目盛２ｂ〜２ｎによりシャッタスピードを選択したときのシャッタスピード表示Ｄ２は文字部分が黒色であるので、これとは異なる態様で表示する。これにより、操作者は、現在シャッタスピード表示Ｄ２を補助ダイアル７で変更中であること、言いかえればシャッタスピードは未設定であることを容易に認識することができる。なお、シャッタスピード表示Ｄ２の表示色の態様は、黒または赤に限定されるものではない。
【００４８】
次に、操作者は、所望のシャッタスピードを補助ダイアル７で選択し、そのときのシャッタスピード表示Ｄ２を確認して、決定釦８を押下する。すると、システムコントローラ１０は、補助ダイアル７および決定釦８で選択されたシャッタスピードを動作条件として設定する（Ｓ６）。また、システムコントローラ１０は、液晶モニタ９に表示されるシャッタスピード表示Ｄ２を黒色に変更させる。つまり、シャッタスピードが未設定であるときのシャッタスピード表示Ｄ２とは異なる態様で表示する。これにより、操作者は、補助ダイアル７を回動してもシャッタスピード表示Ｄ２が変更できないこと、言いかえればシャッタスピードの設定が確定したことを容易に認識することができる。以上の動作により、デジタルカメラ１は、補助ダイアル７および決定釦８で選択されたシャッタスピード（この事例では１秒）を動作条件として設定する。
【００４９】
以上のようにして、操作者は、デジタルカメラ１のシャッタスピードを設定できるが、シャッタダイアル７を回すことにより、シャッタスピードを再び変更できる（図７において「ｓｔａｒｔ」に戻る）。
【００５０】
なお、シャッタスピード表示Ｄ２は、ディスプレイに表示された設定値の一例である。選択催促表示Ｄ４は本発明の第２の操作スイッチを用いて設定値を選択するよう促す表示の一例である。アイコンＤ５は本発明の絵記号の一例である。
【００５１】
（絞り値の設定）
次に、デジタルカメラ１の絞り値を設定するときの動作を以下説明する。なお、絞り値は、シャッタスピードの設定と同様にして設定できるので、簡単に説明する。図１１はその動作を説明するためのフローチャートである。
【００５２】
図１１に示すように、デジタルカメラ１は、操作者が絞りダイアル３を操作することにより、絞り値の設定動作を開始する。次に、システムコントローラ１０は、絞りダイアル３が自動設定を選択したかどうかを検知する（Ｓ２１）。つまり、図３に示すダイアル目盛３ａが指標１８に位置合わせされたかどうかを検知する。
【００５３】
ダイアル目盛３ａが指標１８に位置合わせされれば（Ｓ２１におけるＹｅｓ）、システムコントローラ１０は、現在設定されているシャッタスピードや撮像部１２が感知する露出量に基づいて、この露出量を適正にするような絞り値を算出する（Ｓ２２）。次に、システムコントローラ１０は、算出された絞り値を動作条件として設定する（Ｓ２３）。そして、システムコントローラ１０は、算出された絞り値を図１２に示すように液晶モニタ９に表示する。図１２は、液晶モニタ９に表示される画面を示す模式図である。図１２において、絞り値表示Ｄ３は、絞り値がＦ５．６である場合を示している。以上の動作により、デジタルカメラ１は自動算出された絞り値（この事例ではＦ５．６）を動作条件として設定する。
【００５４】
一方、ダイアル目盛３ａが指標１８に位置合わせされなければ（Ｓ２１におけるＮｏ）、システムコントローラ１０は、絞りダイアル３が第２の状態を選択したかどうかを検知する（Ｓ２４）。つまり、ダイアル目盛３ｆが指標１８に位置合わせされたかどうかを検知する。
【００５５】
ダイアル目盛３ｆが指標１８に位置合わせされなければ（Ｓ２４におけるＮｏ）、システムコントローラ１０は、絞りダイアル３が第１の状態を選択していることを検知する。すると、システムコントローラ１０は、絞りダイアル３で選択された絞り値を動作条件として設定する（Ｓ２７）。そして、システムコントローラ１０は、絞りダイアル３で選択された絞り値を図１２に示すように液晶モニタ９に表示する。例えば、図３に示すように、絞りダイアル３のダイアル目盛３ｃが指標１８に位置合わせされた場合、システムコントローラ１０は絞り値をＦ５．６に設定する。そして、システムコントローラ１０は、図１２に示すように、絞り値表示Ｄ３として「Ｆ５．６」を液晶モニタ９に表示させ、操作者に絞り値がＦ５．６であることを知らせる。以上の動作により、デジタルカメラ１は絞りダイアル３で選択された絞り値（この事例ではＦ５．６）を動作条件として設定する。
【００５６】
一方、図１１に示すステップＳ２４において、ダイアル目盛３ｆが指標１８に位置合わせされれば（Ｓ２４におけるＹｅｓ）、システムコントローラ１０は、補助ダイアル７および決定釦８を用いて絞り値を選択するよう促す表示を液晶モニタ９に表示させる（Ｓ２５）。ここで、図１３（ａ）は、ステップＳ２５における液晶モニタ９の画面を示す模式図である。図１３（ａ）において、背景画像Ｄ１に重畳するように選択催促表示Ｄ６およびアイコンＤ５が表示される。アイコンＤ５は選択催促表示Ｄ６の近傍に表示される。操作者は、選択催促表示Ｄ６を見て、絞り値をＦ１０〜Ｆ４０の間で設定すべきことを認識する。
【００５７】
次に、これらの指示に従って操作者が補助ダイアル７を操作すると、システムコントローラ１０は、選択催促表示Ｄ６およびアイコンＤ５を消去し、それらが表示されていた箇所に絞り値表示Ｄ３を表示させる。また、システムコントローラ１０は、補助ダイアル７の動きに応じて絞り値表示Ｄ３を変更する。ここで、図１４は絞り値表示Ｄ３の状態遷移図である。システムコントローラ１０は、補助ダイアル７が図５に示すＣＷ方向に回動すると、それに応じて絞り値表示Ｄ３を「Ｆ１０」→「Ｆ１１」→「Ｆ１７」・・・のように昇順に変更する。そして、絞り値表示Ｄ３が「Ｆ４０」になった後、さらに補助ダイアル７がＣＷ方向に回動すると、システムコントローラ１０は、絞り値表示Ｄ３を「Ｆ１０」に戻す。逆に、システムコントローラ１０は、補助ダイアル７が図５に示すＣＣ方向に回動すると、それに応じて絞り値表示Ｄ３を「Ｆ４０」→「Ｆ３８」→「Ｆ３５」・・・のように降順に変更する。そして、絞り値表示Ｄ３が「Ｆ１０」になった後、さらに補助ダイアル７がＣＣ方向に回動すると、システムコントローラ１０は、絞り値表示Ｄ３を「Ｆ４０」に戻す。図１３（ｂ）は、絞り値表示Ｄ３を変更しているときに液晶モニタ９に表示される画面を示す模式図である。図１３（ｂ）において、絞り値表示Ｄ３は、「Ｆ２２」であるため、このときに補助ダイアル７が図５に示すＣＷ方向に回動すると「Ｆ２９」に変更される。逆にＣＣ方向に回動すると「Ｆ１７」に変更される。また、絞り値表示Ｄ３は赤色で表示される。
【００５８】
次に、操作者は、所望の絞り値を補助ダイアル７で選択し、そのときの絞り値表示Ｄ３を確認して、決定釦８を押下する。すると、システムコントローラ１０は、補助ダイアル７および決定釦８で選択された絞り値を動作条件として設定する（Ｓ２６）。また、システムコントローラ１０は、液晶モニタ９に表示される絞り値表示Ｄ３を黒色に変更させる。以上の動作により、デジタルカメラ１は補助ダイアル７および決定釦８で選択された絞り値（この事例ではＦ２２）を動作条件として設定する。
【００５９】
以上のようにして、操作者は、デジタルカメラ１の絞り値を設定できるが、絞りダイアル３を回動することにより、絞り値を再び変更できる（図１１において「ｓｔａｒｔ」に戻る）。
【００６０】
なお、絞り値表示Ｄ３は本発明のディスプレイに表示された設定値の一例である。選択催促表示Ｄ６は本発明の第２の操作スイッチを用いて設定値を選択するよう促す表示の一例である。
【００６１】
以上のように、本発明の実施の形態１に係るデジタルカメラ１は、１つのシャッタスピードが割り当てられた第１の状態または複数のシャッタスピードが割り当てられた第２の状態を選択するシャッタダイアル２と、シャッタダイアル２が第２の状態を選択したとき、第２の状態に割り当てられたシャッタスピードを表示する液晶モニタ９と、液晶モニタ９に表示されたシャッタスピードのうちいずれかを選択する補助ダイアル７と、シャッタダイアル２がダイアル目盛２ｂ〜２ｎのいずれかを選択したとき、そのダイアル目盛（ダイアル目盛２ｂ〜２ｎのいずれか）に割り当てられたシャッタスピードを動作条件として設定する一方、シャッタダイアルがダイアル目盛２ｐを選択したとき、補助ダイアル７で選択されたシャッタスピードを動作条件として設定するシステムコントローラ１０と、を備える。
【００６２】
このように、シャッタダイアル２で機械的にシャッタスピードを変更することができるので操作性が良い。そして、シャッタダイアル２で設定できるシャッタスピード以外のものは、補助ダイアル７で液晶モニタ９に表示されたシャッタスピードを変更することにより設定できるので、数多くのシャッタスピードを設定可能である。
【００６３】
また、本発明の実施の形態１に係るデジタルカメラ１は、使用頻度の比較的高いシャッタスピードをダイアル目盛２ｂ〜２ｎに割り当て、使用頻度の比較的低いシャッタスピードをダイアル目盛２ｐに割り当てる。これにより、操作者は、使用頻度の高いシャッタスピードを容易に（シャッタダイアル２を回すという１アクションで）設定できる一方、使用頻度の低いシャッタスピードについては、補助ダイアル７を用いることにより、多くのシャッタスピードを選択可能に構成できる。
【００６４】
また、本発明の実施の形態１に係るデジタルカメラ１のシステムコントローラ１０は、シャッタダイアル２がダイアル目盛２ｐを選択したとき、シャッタスピードを選択するよう促す選択催促表示Ｄ４を液晶モニタ９に表示させることを特徴とする。このように、選択催促表示Ｄ４を表示するため、操作者は操作方法を容易に理解できる。つまり、操作者は、シャッタスピードを選択しなければならないことを容易に理解できる。
【００６５】
また、本発明の実施の形態１に係るデジタルカメラ１の選択催促表示Ｄ４は、補助ダイアル７の形状を表すアイコンＤ５を含むことを特徴とする。このように、選択催促表示Ｄ４が、補助ダイアル７の形状を表すアイコンＤ５を含むため、操作者は、シャッタスピードの選択に補助ダイアル７を用いることを容易に理解できる。
【００６６】
また、本発明の実施の形態１に係るデジタルカメラ１のシステムコントローラ１０が補助ダイアル７で選択されたシャッタスピードを動作条件として設定する前後において、シャッタスピード表示Ｄ２の表示態様は赤色から黒色に変わる。このように、補助ダイアル７で設定する前後において、シャッタスピード表示Ｄ２の表示態様を異なるものとするため、操作者は、補助ダイアル７での設定が完了したかどうか容易に把握することができる。つまり、シャッタスピード表示Ｄ２が赤色であれば未設定、黒色であれば設定済みというように容易に判別できる。
【００６７】
また、本発明の実施の形態１に係るデジタルカメラ１の液晶モニタ９は、ダイアル目盛２ｐに割り当てられたシャッタスピードを示すシャッタスピード表示Ｄ２をダイアル目盛２ｂ〜２ｎのいずれかに割り当てられたシャッタスピードを示すシャッタスピード表示Ｄ２とは異なる態様で表示する。これにより、操作者は、シャッタダイアル２と補助ダイアル７のどちらを用いてシャッタスピードを設定しているのか、または、どちらを用いてシャッタスピードを設定すべきなのかを容易に把握することができる。
【００６８】
以上において、絞り値の設定においては、シャッタダイアル２の代わりに絞りダイアル３を用いればよいだけなので、説明を省略する。
【００６９】
なお、本発明の実施の形態１においては、シャッタスピードまたは絞り値を設定するために、シャッタダイアル２、絞りダイアル３の他に補助ダイアル７を用いている。しかし、補助ダイアル７は、シャッタスピードまたは絞り値を設定する用途のほかにも他の用途も有し、たとえシャッタスピードまたは絞り値を設定する機能がなくてもデジタルカメラ１に必要である。そのため、設定可能なシャッタスピードまたは絞り値の数を多くするために補助ダイアル７を用いたからといって、部品点数を増加したことにはならない。この点は、従来の技術に比べて有利な点である。
【００７０】
また、本発明の実施の形態１においては、シャッタスピードまたは絞り値を設定するために補助ダイアル７を用いたが、これには限らず、カーソルキー６を用いて設定するよう構成してもよい。カーソルキー６を用いる場合、カーソルキー６を一回押下すると、シャッタスピードまたは絞り値の設定状態を１だけ変更することができる。そのため、操作者は、確実に所望の設定値に設定できる。つまり、補助ダイアル７の場合は、回し過ぎて所望の設定値を超えて変更してしまうということがあるが、カーソルキー６の場合はキーを押下する回数を間違わなければ確実に所望の設定値を設定できる。
【００７１】
また、本発明の実施の形態１では、ディスプレイとして液晶モニタ９を用いたが、これには限られない。画像を表示できるものであれば、有機ＥＬディスプレイ等でも構わない。
【００７２】
また、本発明の実施の形態１では、色を変えることによって、シャッタスピード表示Ｄ２の表示態様を各状態において変更したが、これには限らず、例えば、シャッタスピード表示Ｄ２の背景色を変えたり、シャッタスピード表示Ｄ２を枠で囲ったり、シャッタスピード表示Ｄ２を点滅させる等により表示態様を変えても良い。
【００７３】
さらに、本実施形態では、電子機器の一例としてデジタルカメラを例示したが、デジタルカメラに限らず、電子制御式の銀塩カメラにも本発明を適用することができる。
【００７４】
（実施の形態２）
本発明の実施の形態１では、デジタルカメラ１のシャッタスピードや絞り値を設定することについて、本発明を適用する場合を説明した。これに対して、本発明の実施の形態２では、携帯電話端末２０１の送信先アドレスを設定することについて、本発明を適用する場合を説明する。
【００７５】
携帯電話端末２０１においても、デジタルカメラ１と同様に小型化が進む一方、高機能化が進んでいる。従って、なるべく小さく数少ない操作部品類により、多種の設定ができるよう望まれている。さらに、設定に要する時間が短く、操作性が良いことが望まれている。特に、送信先アドレスの設定についての操作性向上が要望されている。以下、このような要望を満たす本発明の実施の形態２に係る携帯電話端末２０１について説明する。
【００７６】
図１５は、本発明の実施の形態２に係る携帯電話端末２０１の外観を示す模式図である。携帯電話端末２０１は、ダイアル２０２、カーソルキー２０４、通信開始釦２０５、通信終了釦２０６およびテンキー２０８等の操作スイッチと液晶モニタ２０３とを備える。ダイアル２０２は、送信先アドレスを選択する操作スイッチである。ダイアル２０２の外周の一部は、携帯電話端末２０１の本体端辺から突出している。このため、操作者は、その突出した部分に指をあてがって操作することにより、ダイアル２０２を容易に回動できる。カーソルキー２０４は、液晶モニタ２０３に表示されるカーソルを移動するための操作スイッチである。通信開始釦２０５は、選択された送信先アドレスにデータの送信を開始するための釦である。通信終了釦２０６は、通信を終了するための釦である。テンキー２０８は、文字、数字、または記号を入力するための操作スイッチである。
【００７７】
図１６は、ダイアル２０２の外観を示す模式図である。指標２０７は携帯電話端末２０１に固定されている。ダイアル目盛２０２ａ〜２０２ｍには、それぞれ１づつ送信先アドレスが割り当てられており、指標２０７に位置合わせされると、そのダイアル目盛に割り当てられている送信先アドレスが設定される。また、ダイアル目盛２０２ｎには複数の送信先アドレスが割り当てられている。ダイアル目盛２０２ｎが指標２０７に位置合わせされると、そのダイアル目盛２０２ｎに割り当てられた送信先アドレスのうちいずれかをカーソルキー２０４を用いて設定することができる。
【００７８】
図１７は、本発明の実施の形態２に係る携帯電話端末２０１の構成を示すブロック図である。システムコントローラ２１０は、液晶モニタ２０３、通信部２１１等のシステム全体を制御するコントローラである。システムコントローラ２１０は、ダイアル２０２、カーソルキー２０４、通信開始釦２０５、テンキー２０８等の操作スイッチからの制御信号を受けて、制御を行っている。通信部２１１は、携帯電話システムの基地局とデータを送受信する。通信部２１１は、アンテナ、変調器、増幅器等を含む。メモリ２１２は、送信先アドレス等を記憶するためのメモリである。操作者は、テンキー２０８を操作することにより、送信先アドレスをメモリ２１２に記憶させることができる。また、操作者は、ダイアル目盛２０２ａ〜２０２ｍにどの送信先アドレスを割り当てるかを自由に決定することができ、送信頻度が高いアドレスをダイアル目盛２０２ａ〜２０２ｍへ順次割り当てれば良い。操作者によって割り当てられたダイアル目盛２０２ａ〜２０２ｍと送信先アドレスとの対応関係は、システムコントローラ２１０によってメモリ２１２に記憶される。操作者がダイアル目盛２０２ａ〜２０２ｍへ割り当てなかった送信先アドレスは、ダイアル目盛２０２ｎへ割り当てられたものとして、メモリ２１２に記憶される。
【００７９】
なお、ダイアル２０２は本発明の第１の操作スイッチの一例である。液晶モニタ２０３は本発明のディスプレイの一例である。カーソルキー２０４は本発明の第２の操作スイッチの一例である。システムコントローラ２１０は本発明のコントローラの一例である。携帯電話端末２０１は本発明の電子機器の一例である。この場合、送信先アドレスは本発明における設定値の一例である。ダイアル２０２のダイアル目盛２０２ａ〜２ｍのいずれかが指標２０７に位置合わせされた状態は、本発明における第１の状態の一例である。ダイアル２０２のダイアル目盛２０２ｎが指標１７に位置合わせされた状態は、本発明における第２の状態の一例である。
【００８０】
以上のように構成された携帯電話端末２０１の送信先アドレスの設定から送信開始までの動作について以下図１５〜図２０を用いて説明する。図１８は、携帯電話端末２０１の動作を説明するためのフローチャートである。図１９は、ダイアル目盛２０２ａ〜２０２ｍを用いて送信先アドレスを設定する場合の液晶モニタ２０３の表示画面を示す模式図である。図２０は、ダイアル目盛２０２ｎおよびカーソルキー２０４を用いて送信先アドレスを設定する場合の液晶モニタ２０３の表示画面を示す模式図である。
【００８１】
ここで、図１９および図２０において、背景画像Ｄ２０１は送信先に送信するためのデータであり、操作者がテンキー２０８を用いて入力したものである。送信先アドレスを設定するときは、背景画像Ｄ２０１に重畳するように送信先アドレス選択画面Ｄ２０２が表示される。送信先アドレス選択画面Ｄ２０２の中には、ダイアル目盛２０２ａ〜２０２ｎのいずれが指標２０７に位置合わせされているか（図１６参照）を示すダイアル目盛表示Ｄ２０３が表示される。また、送信先アドレス選択画面Ｄ２０２の中には、ダイアル目盛表示Ｄ２０３の隣に、送信先アドレスを示す送信先アドレス表示Ｄ２０４が表示される。さらに、図２０においては、送信先アドレス表示Ｄ２０４を変更するにはカーソルキー２０４の上下キーを操作すればよいことを示すカーソルキー使用可能表示Ｄ２０５が表示される。
【００８２】
まず、操作者は、送信先に送信するデータを、テンキー２０８を用いて入力する。例えば、図１９や図２０に示すような背景画像Ｄ２０１が操作者の入力するデータである。次に、ダイアル２０２を回動することにより、送信先アドレスの設定を開始する（図１８におけるｓｔａｒｔ）。ダイアル２０２を回すと、システムコントローラ２１０は、ダイアル目盛２０２ｎが指標２０７に位置合わせされたかどうかを監視する（Ｓ２０１）。すなわち、システムコントローラ２１０は、ダイアル２０２が第２の状態を選択したかどうかを監視する。
【００８３】
そして、ダイアル目盛２０２ｎが指標２０７に位置合わせされていなければ、システムコントローラ２１０は、指標２０７に位置合わせされたダイアル目盛に割り当てられている送信先アドレスを設定する。例えば、指標２０７にダイアル目盛２０２ｃが位置合わせされると、図１９に示すように、ダイアル目盛表示Ｄ２０３として、ダイアル２０２上面のダイアル目盛２０２ｃの部分に印字されている「Ｃ」（図１６参照）を表示する。そして、送信先アドレス表示Ｄ２０４として、操作者によってダイアル目盛２０２ｃに割り当てられた送信先アドレス（この事例では「ｍｏｋｕ＠ｐａｎ．ｊｐ」）がメモリ２１２から読み出され、液晶モニタ２０３に表示される。次に、操作者が通信開始釦２０５を押下すると、システムコントローラ２１０は、通信部２１１に対して送信先アドレスにデータを送信するよう指示する。通信部２１１は、システムコントローラ２１０の制御により送信を開始する（Ｓ２０４）。
【００８４】
一方、ダイアル目盛２０２ｎが指標２０７に位置合わせされれば（Ｓ２０１のＹｅｓ）、システムコントローラ２１０は、ダイアル目盛２０２ｎに割り当てられている送信先アドレスをメモリ２１２から読み出し、液晶モニタ２０３に表示させる（図２０参照）。そして、システムコントローラ２１０は、カーソルキー２０４の上下キーに送信先アドレスを選択する機能を割り当てる。そのため、操作者はカーソルキー２０４の上下キーを用いて送信先アドレスを設定できる（Ｓ２０２）。図２０において、操作者がカーソルキー２０４の上下キーを操作すると、ダイアル目盛表示Ｄ２０３は「その他」を表示したまま、送信先アドレス表示Ｄ２０４のみが変更される。ここで、カーソルキー２０４の上下キーの操作に伴って、操作者によってメモリ２１２にあらかじめ登録されているアドレスが、順次表示される。このようにして、送信先アドレスを設定した後、操作者が通信開始釦２０６を押下すると、システムコントローラ２１０は、液晶モニタ２０３に送信先アドレス表示Ｄ２０４として表示されている送信先アドレスに背景画像Ｄ２０１に示す文字データ等のデータを送信するよう、通信部２１１に対して指示する。通信部２１１は、システムコントローラ２１０の制御により送信を開始する（Ｓ２０４）。
【００８５】
以上のように、本発明は、携帯電話端末２０１にも適用できる。特に、送信先アドレスを設定することについて、本発明を適用することができる。また、ダイアル目盛２０２ａ〜２０２ｍまでには送信頻度の高い送信先アドレスを割り当てるのが好ましい。この場合、どの送信先アドレスをどのダイアル目盛２０２ａ〜２０２ｎに割り当てるのかは操作者の任意に設定できるようにすると、さらに良い。携帯電話端末２０１において、送信先アドレスは、通常数多く記憶されているが、使用する頻度が高いものは限られている。そのため、本発明を適用すれば、使用頻度の高い送信先アドレスは１アクションで設定でき、使用頻度の低いものは、設定に多少時間を要するが、数多く設定可能である。
【００８６】
なお、この実施形態では、携帯電話端末における設定値の例として送信先アドレスを挙げたが、設定値は電話番号であっても良い。
【００８７】
（実施の形態３）
本発明の実施の形態１および２では、第１の操作スイッチがダイアルである場合を説明した。これに対して、本発明の実施の形態２では、第１の操作スイッチが押下釦の集合である場合を説明する。特に、リモコン（リモートコントローラ）を用いてテレビジョン受像機本体の選局を行う場合を説明する。
【００８８】
テレビジョン放送はデジタル化が進み、また、ケーブルテレビも普及することから、今後、放送局の多チャンネル化が進むものと思われる。そのため、テレビジョン受像機本体を制御するリモコンも、多チャンネルの中からいずれかを効率よく選択できるようなものが望まれている。しかし、そのためにチャンネル選局用の押下釦を増やすのは好ましくない。そこで、このようなリモコンおよびテレビジョン受像機本体に本発明を適用すれば、押下釦の数を増やすことなく、効率の良い選局が可能になる。以下、このような要望を満たす本発明の実施の形態３に係るテレビジョン受像機本体３０１およびリモコン３０４について説明する。
【００８９】
図２１は、本発明の実施の形態３に係るテレビジョン受像機本体３０１およびリモコン３０４の外観を示す模式図である。
【００９０】
テレビジョン受像機本体３０１は、モニタ３０２およびリモコン信号受信部３０３を備える。モニタ３０２は、ブラウン管、液晶ディスプレイ（ＬＣＤ）、プラズマディスプレイ（ＰＤ）、有機ＥＬディスプレイ等の、映像を表示できるディスプレイである。リモコン信号受信部３０３は、リモコン３０４から発信される赤外線等の制御信号を受信する。
【００９１】
リモコン３０４は、テレビジョン受像機本体３０１を遠隔制御するための装置である。リモコン３０４は、カーソルキー３０５、選局部３０６等を備える。カーソルキー３０５は、モニタ３０２に表示されるカーソルを移動するため、または、モニタ３０２に表示されるチャンネル等の動作条件を設定するための操作スイッチである。
【００９２】
選局部３０６は、複数の選局キー３０６ａ〜３０６ｐを備える。選局部は、モニタ３０２に上映する放送チャンネルを選択するための操作スイッチである。選局キー３０６ａ〜３０６ｎには、それぞれ１づつの放送チャンネルが割り当てられている。そして、選局キー３０６ａ〜３０６ｎのいずれかを押下することにより、押下された選局キーに割り当てられた放送チャンネルからの映像をモニタに上映させることができる。一方、選択キー３０６ｐには、複数の放送チャンネルが割り当てられている。選局キー３０６ｐを押下すると、選局キー３０６ｐに割り当てられている放送チャンネルがモニタ３０２に表示される。そして、表示された放送チャンネルをカーソルキー３０５で設定できるようになる。
【００９３】
図２２は、テレビジョン受像機本体３０１およびリモコン３０４の構成を示すブロック図である。
【００９４】
リモコン３０４は、カーソルキー３０５、選局部３０６の他に、リモコンコントローラ３０９、送信部３０８を備える。コントローラ３０９は、送信部３０８等のリモコン３０４全体を制御する。コントローラ３０９はカーソルキー３０５、選局部３０６等の操作スイッチからの制御信号に従って動作する。送信部３０８は、テレビジョン受像機本体３０１を制御するための制御信号として、赤外線等を送信する。
【００９５】
テレビジョン受像機本体３０１は、モニタ３０２、リモコン信号受信部３０３の他に、本体コントローラ３１０、放送受信部３１１を備える。本体コントローラ３１０は、モニタ３０２、リモコン信号受信部３０３、放送受信部３１１等のテレビジョン受像機本体３０１全体を制御するコントローラである。本体コントローラ３１０はリモコン信号受信部３０３で受信する制御信号に従って動作する。放送受信部３１１は、放送チャンネルをチューニングして放送局からの映像信号等を受信する受信部である。放送受信部３１１は、チューナーや増幅器等を含む。
【００９６】
なお、選局部３０６は本発明の第１の操作スイッチの一例である。モニタ３０２は本発明のディスプレイの一例である。カーソルキー３０５は本発明の第２の操作スイッチの一例である。本体コントローラ３１０は本発明のコントローラの一例である。テレビジョン受像機本体３０１とリモコン３０４からなるテレビジョン受像機セット３２０は本発明の電子機器の一例である。この場合、放送チャンネルは本発明における設定値の一例である。選局部３０６の選局キー３０６ａ〜ｎのいずれかを押下した状態は、本発明における第１の状態の一例である。選局部３０６の選局キー３０６ｐを押下した状態は、本発明における第２の状態の一例である。
【００９７】
以上のように構成されたテレビジョン受像機セット３２０の放送チャンネルの設定の動作について以下図２１〜図２４を用いて説明する。図２３は、テレビジョン受像機セット３２０の動作を説明するためのフローチャートである。図２４は、選局キー３０６ｐおよびカーソルキー３０５を用いて放送チャンネルを選択する場合のモニタ３０２の表示画面を示す模式図である。ここで、図２４において、背景画像Ｄ３０１は放送局から受信した映像である。放送チャンネルを選択するときは、背景画像Ｄ２０１に重畳するように選択チャンネル表示Ｄ３０２が表示される。
【００９８】
テレビジョン受像機本体３０１の電源がＯＮ状態のとき、本体コントローラ３１０は、リモコン信号受信部３０３がリモコン３０４からの制御信号を受信したかどうかを常に監視する。このとき、本体コントローラ３１０は、選局キー３０６ｐが押下されたかどうかを監視する（Ｓ３０１）。
【００９９】
そして、選局キー３０６ｐが押下されずに、他の選局キー３０６ａ〜ｎのうちのいずれかが押下されれば、コントローラ３０９は、これを示す制御信号を送信部３０８を介して本体コントローラ３１０に送信する。本体コントローラ３１０は、これを受けて、選択された放送チャンネルを放送受信部３１１に選局させる。そして、その放送チャンネルで受信した映像信号をモニタ３０２に上映させる（Ｓ３０３）。
【０１００】
一方、選局キー３０６ｐが押下されると（Ｓ３０１のＹｅｓ）、コントローラ３０９は、これを示す制御信号を送信部３０８を介して本体コントローラ３１０に送信する。本体コントローラ３１０は、これを受けて、カーソルキー３０５による制御信号を放送チャンネルの選局のための制御信号であると設定する。すなわち、本体コントローラ３１０は、カーソルキー３０５に放送チャンネルの選局機能を割り当てる。そして、カーソルキー３０５が押下されたことをリモコン信号受信部３０３を介して検知すると、本体コントローラ３１０は、放送チャンネルを変更し、変更された放送チャンネルを放送受信部３１１に選局させる。そして、その放送チャンネルで受信した映像信号をモニタ３０２に上映させる（Ｓ３０２）。ここで、カーソルキー３０５の左右釦を押下すると１づつチャンネルを昇降することができる。また、カーソルキー３０５の上下釦を押下すると１０づつチャンネルを昇降することができる。
【０１０１】
以上のように、本発明の実施の形態３によれば、リモコン３０４の選局キー３０６ａ〜３０６ｐの数を増やすことなく、効率の良い選局が可能になる。
【０１０２】
（実施の形態４）
本発明は、オーブンレンジや洗濯機等の家庭用の電化製品にも適用できる。本発明の実施の形態４では、オーブンレンジ４０１の調理メニューを設定する場合について説明する。
【０１０３】
近年、オーブンレンジの高機能化が進み、調理メニューを細かくかつ多種に渡って設定できるようになってきた。一方で、調理メニューが多くなると、選択が煩雑になり、操作性が悪いという問題がある。そこで、本発明を適用することにより、日頃頻繁に使用する調理メニューはダイアルで簡単に設定でき、かつ、液晶モニタ４０４およびカーソルキー４０５を用いて、多種の調理メニューも選択できるように構成する。
【０１０４】
図２５は、本発明の実施の形態４に係るオーブンレンジ４０１の外観を示す模式図である。オーブンレンジ４０１は、調理部４０２、メニューダイアル４０３、液晶モニタ４０４、カーソルキー４０５、時間設定釦４０６、温度設定釦４０７、調理開始釦４０８を備える。調理部４０２は、開閉扉を有し、内部に食材を入れて調理を開始することにより、食材を加熱して調理を行う。メニューダイアル４０３は、調理メニューを選択する操作スイッチである。液晶モニタ４０４は、調理メニューの選択や調理時間設定、調理温度設定等の際にそれらの情報を表示するディスプレイである。カーソルキー４０５は、液晶モニタ４０４に表示される設定値を選択するための操作スイッチである。時間設定釦４０６は、調理時間だけをマニュアル設定するときに押下する操作スイッチである。これを押下すると、液晶モニタ４０４には設定可能な調理時間が表示され、カーソルキー４０５を用いて調理時間を設定できる。温度設定釦４０７は、調理温度だけをマニュアル設定するときに押下する操作スイッチである。これを押下すると、液晶モニタ４０４には設定可能な調理温度が表示され、カーソルキー４０５を用いて調理温度を設定できる。調理開始釦４０８は、調理部４０２で調理を開始するための操作スイッチである。
【０１０５】
図２６は、メニューダイアル４０３を示す模式図である。指標４０９はオーブンレンジ４０１本体に固定されている。メニューダイアル４０３はダイアル目盛４０３ａ〜４０３ｎを有する。ダイアル目盛４０３ａ〜４０３ｍには、それぞれ１づつ調理メニューが割り当てられており、指標４０９に位置合わせされると、そのダイアル目盛に割り当てられている調理メニューが設定される。また、ダイアル目盛４０３ｎには複数の調理メニューが割り当てられている。ダイアル目盛４０３ｎが指標４０９に位置合わせされると、そのダイアル目盛４０３ｎに割り当てられた複数の調理メニューのうちいずれかをカーソルキー４０５を用いて設定することができる。
【０１０６】
図２７は、本発明の実施の形態４に係るオーブンレンジ４０１の構成を示すブロック図である。システムコントローラ４１０は、液晶モニタ４０４、電磁波発生部４１１、加熱部４１２等のシステム全体を制御するコントローラである。システムコントローラ４１０は、メニューダイアル４０３、カーソルキー４０５、時間設定釦４０６、温度設定釦４０７、調理開始釦４０８、等の操作スイッチからの制御信号を受けて、制御を行っている。電磁波発生部４１１および加熱部４１２は、調理部４０２に含まれる。電磁波発生部４１１は、マイクロ波を発生し食材内の電子を振動することにより加熱する手段である。加熱部４１２は、電熱線やセラミックヒーターからなり、食材を赤外線等により加熱する手段である。メニューダイアル４０３により調理メニューが設定されると、システムコントローラ４１０は、各調理メニュー毎に予め設定されている時間、温度等を達成するように、電磁波発生部４１１および加熱部４１２を制御する。メモリ４１３は、調理メニュー毎の調理条件（加熱時間、温度等）を記憶しているメモリである。
【０１０７】
なお、メニューダイアル４０３は本発明の第１の操作スイッチの一例である。液晶モニタ４０４は本発明のディスプレイの一例である。カーソルキー４０５は本発明の第２の操作スイッチの一例である。システムコントローラ４１０は本発明のコントローラの一例である。オーブンレンジ４０１は本発明の電子機器の一例である。この場合、調理メニューは本発明における設定値の一例である。メニューダイアル４０３のダイアル目盛４０３ａ〜４０３ｍのいずれかを指標４０９に位置合わせした状態は、本発明における第１の状態の一例である。メニューダイアル４０３のダイアル目盛４０３ｎを指標４０９に位置合わせした状態は、本発明における第２の状態の一例である。
【０１０８】
以上のように構成されたオーブンレンジ４０１の調理メニューの設定の動作について以下図２５〜図２９を用いて説明する。図２８は、オーブンレンジの動作を説明するためのフローチャートである。図２９は、ダイアル目盛４０３ｎおよびカーソルキー４０５を用いて調理メニューを設定する場合の液晶モニタ４０４の表示画面を示す模式図である。
【０１０９】
まず、操作者は、調理すべき食材を調理部４０２内にセットする。次に、メニューダイアル４０３を回動することにより、調理メニューの設定を開始する（図２８におけるｓｔａｒｔ）。メニューダイアル４０３を回すと、システムコントローラ４１０は、ダイアル目盛４０３ｎが指標４０９に位置合わせされたかどうかを監視する（Ｓ４０１）。すなわち、システムコントローラ４１０は、メニューダイアル４０３が第２の状態を選択したかどうかを監視する。
【０１１０】
そして、ダイアル目盛４０３ｎが指標４０９に位置合わせされていなければ、システムコントローラ４１０は、指標４０９に位置合わせされたダイアル目盛に割り当てられている調理メニューを設定する（Ｓ４０３）。例えば、図２６に示すように、指標４０９にダイアル目盛４０３ｃが位置合わせされると、システムコントローラ４１０は、「ご飯温め」のために予め記憶されている条件をメモリ２１２から読み出して設定する。次に、操作者が調理開始釦４０８を押下すると、電磁波発生部４１１または／および加熱部４１２は駆動し始める。システムコントローラ４１０は、ステップＳ４０３において設定された条件で電磁波発生部４１１または／および加熱部４１２が駆動するよう、これらを制御する（Ｓ４０４）。
【０１１１】
一方、ダイアル目盛４０３ｎが指標４０９に位置合わせされれば（Ｓ４０１のＹｅｓ）、システムコントローラ４１０は、ダイアル目盛４０３ｎに割り当てられている調理メニューを示す調理メニュー表示Ｄ４０１を液晶モニタ４０４に表示させる（図２９参照）。そして、システムコントローラ４１０は、カーソルキー４０５に調理メニューを選択する機能を割り当てる。そのため、操作者はカーソルキー４０５を用いて調理メニューを設定できる（Ｓ４０３）。図２９において、操作者がカーソルキー４０５を操作すると、調理メニュー表示Ｄ４０１が変更される。そして、調査メニュー表示Ｄ４０１が設定表示されると、システムコントローラ４１０は調理メニューを設定する（Ｓ４０２）。例えば、図２９に示すように、「シーフードピザ」が表示されると、システムコントローラ４１０は、「シーフードピザ」のために予め記憶されている条件をメモリ２１２から読み出して設定する。このようにして設定した後、操作者が調理開始釦４０８を押下すると、電磁波発生部４１１または／および加熱部４１２は、駆動し始める。システムコントローラ４１０は、ステップＳ４０２において設定された条件で電磁波発生部４１１または／および加熱部４１２が駆動するよう、これらを制御する（Ｓ４０４）。
【０１１２】
以上のように、本発明の実施の形態４によれば、本発明は家庭用の電化製品の操作性を向上することができる。なお、この実施形態では、家庭用電化製品の一例としてオーブンレンジを例示したが、これ以外にも、例えば、電子レンジ、トースター、電気炊飯器、コーヒーメーカー、製パン器等の、複数種類の調理メニューを設定可能な種々の調理用家電製品に、本発明を適用することができる。あるいは、調理用家電製品以外にも、複数種類の動作モードを有する家電製品に本発明を適用すれば、動作モードの選択が容易に行える。そのような家電製品としては、これらには限定されないが、例えば、掃除機、食器洗い機、洗濯機、乾燥機等がある。
【０１１３】
また、例えば、カーナビゲーションシステムにおいて表示エリアの指定に適用してもよい。カーナビゲーションシステムは、運転者が運転中に操作する可能性の高いものであり、操作部品類の数が多いと操作が困難になる。そこで、ディスプレイに表示させるエリアを操作者に選択させる際に、使用頻度の高いエリアを第１の状態に割り当て、使用頻度の低いエリアを第２の状態に割り当てる。
【産業上の利用可能性】
【０１１４】
本発明は、第１の操作スイッチと第２の操作スイッチとを有し、設定値を表示するディスプレイを有する電子機器として利用可能である。
【図面の簡単な説明】
【０１１５】
【図１】図１は、本発明の実施の形態１に係るデジタルカメラの正面側から見た斜視図である。
【図２】図２は、同デジタルカメラの背面側から見た斜視図である。
【図３】図３は、同デジタルカメラの絞りダイアルを示す模式図である。
【図４】図４は、同デジタルカメラのシャッタダイアルを示す平面図である。
【図５】図５は、同デジタルカメラの補助ダイアルを示す平面図である。
【図６】図６は、同デジタルカメラの構成を示すブロック図である。
【図７】図７は、同デジタルカメラの動作を説明するためのフローチャートである。
【図８】図８は、同デジタルカメラの液晶モニタの画面表示を示す模式図である。
【図９】図９は、同デジタルカメラの液晶モニタの画面表示を示す模式図である。
【図１０】図１０は、同デジタルカメラの設定可能なシャッタスピードの状態遷移図である。
【図１１】図１１は、同デジタルカメラの動作を説明するためのフローチャートである。
【図１２】図１２は、同デジタルカメラの液晶モニタの画面表示を示す模式図である。
【図１３】図１３は、同デジタルカメラの液晶モニタの画面表示を示す模式図である。
【図１４】図１４は、同デジタルカメラの設定可能なシャッタスピードの状態遷移図である。
【図１５】図１５は、本発明の実施の形態２に係る携帯電話端末の外観を示す模式図である。
【図１６】図１６は、同携帯電話端末のダイアルを示す平面図である。
【図１７】図１７は、同携帯電話端末の構成を示すブロック図である。
【図１８】図１８は、同携帯電話端末の動作を説明するためのフローチャートである。
【図１９】図１９は、同携帯電話端末の液晶モニタの画面表示を示す模式図である。
【図２０】図２０は、同携帯電話端末の液晶モニタの画面表示を示す模式図である。
【図２１】図２１は、本発明の実施の形態３に係るテレビジョン受像機セットの外観を示す模式図である。
【図２２】図２２は、同テレビジョン受像機セットの構成を示すブロック図である。
【図２３】図２３は、同テレビジョン受像機セットの動作を説明するためのフローチャートである。
【図２４】図２４は、同テレビジョン受像機セットのモニタの画面表示を示す模式図である。
【図２５】図２５は、本発明の実施の形態４に係るオーブンレンジの外観を示す模式図である。
【図２６】図２６は、同オーブンレンジのダイアルを示す平面図である。
【図２７】図２７は、同オーブンレンジの構成を示すブロック図である。
【図２８】図２８は、同オーブンレンジの動作を説明するためのフローチャートである。
【図２９】図２９は、同オーブンレンジの液晶モニタの画面表示を示す模式図である。
【図３０】図３０は、従来のカメラのシャッタダイアルおよび操作レバーを示す模式図である。
【図１】
0004755497.tif 000002
【図２】
0004755497.tif 000003
【図３】
0004755497.tif 000004
【図４】
0004755497.tif 000005
【図５】
0004755497.tif 000006
【図６】
0004755497.tif 000007
【図７】
0004755497.tif 000008
【図８】
0004755497.tif 000009
【図９】
0004755497.tif 000010
【図１０】
0004755497.tif 000011
【図１１】
0004755497.tif 000012
【図１２】
0004755497.tif 000013
【図１３】
0004755497.tif 000014
【図１４】
0004755497.tif 000015
【図１５】
0004755497.tif 000016
【図１６】
0004755497.tif 000017
【図１７】
0004755497.tif 000018
【図１８】
0004755497.tif 000019
【図１９】
0004755497.tif 000020
【図２０】
0004755497.tif 000021
【図２１】
0004755497.tif 000022
【図２２】
0004755497.tif 000023
【図２３】
0004755497.tif 000024
【図２４】
0004755497.tif 000025
【図２５】
0004755497.tif 000026
【図２６】
0004755497.tif 000027
【図２７】
0004755497.tif 000028
【図２８】
0004755497.tif 000029
【図２９】
0004755497.tif 000030
【図３０】
0004755497.tif 000031